(57)【特許請求の範囲】
【請求項１】
シスターンタンクと加熱部と放熱部との間で循環ポンプを介して暖房水を循環する温水暖房システムにおいて、
前記シスターンタンクに検出水位の異なる２本の水位検出ロッドを設け、
前記シスターンタンクに暖房水を供給する段階で、最初に出力があった水位検出ロッドを低水位用検出ロッドと判定し、最後に出力があった水位検出ロッドを高水位用検出ロッドと判定し、これを学習するコントローラを設け、
このコントローラで学習された低水位用検出ロッドからの暖房水無しの出力があった場合、前記シスターンタンクに暖房水を補給する暖房水補給手段を設けたことを特徴とする温水暖房システム。
【請求項２】
シスターンタンクと加熱部と放熱部との間で循環ポンプを介して暖房水を循環する温水暖房システムにおいて、
前記シスターンタンクに検出水位の異なる２本の水位検出ロッドを設け、
この２本の水位検出ロッドはそれぞれのコネクタが前記シスターンタンクの外部に露出し、このコネクタが共通形状を備え、
前記シスターンタンクに暖房水を供給する段階で、最初に出力があった水位検出ロッドを低水位用検出ロッドと判定し、最後に出力があった水位検出ロッドを高水位用検出ロッドと判定し、これを学習するコントローラを設け、
このコントローラで学習された低水位用検出ロッドからの暖房水無しの出力があった場合、前記シスターンタンクに暖房水を補給する暖房水補給手段を設けたことを特徴とする温水暖房システム。
【発明の詳細な説明】
【０００１】
【発明の属する技術分野】
本発明は、シスターンタンクに高水位用、低水位用の２本の水位検出ロッドを備えた、温水暖房システムに関する。
【０００２】
【従来の技術】
一般に、シスターンタンクと加熱部と放熱部（例えば、温水エアコン、床暖房機等）との間で循環ポンプを介して暖房水を循環する温水暖房システムが知られている。この種のものでは、シスターンタンクに高水位用、低水位用の２本の水位検出ロッドが設けられ、高水位用の水位検出ロッドから出力があった時に満水と判断し、低水位用の水位検出ロッドから出力があった時に中間水と判断し、低水位用の水位検出ロッドから出力がない時に渇水と判断し、この判断の結果に応じてシスターンタンクに暖房水を補給可能に構成されている。
【０００３】
【発明が解決しようとする課題】
しかしながら、従来の構成では、２本の水位検出ロッドに高水位用、低水位用の極性が持たされており、各水位検出ロッドのコネクタを誤配線した場合、エラーが発生して、暖房運転できなくなるという問題がある。
【０００４】
一般的に、この２本の水位検出ロッドは、それぞれのコネクタのみがシスターンタンクの外部に露出し、このコネクタが互いに共通形状を備えている。従って、いずれが高水位用か低水位用かを外見からでは判断が困難な状況にあり、コネクタ接続作業が困難になるという問題がある。
【０００５】
そこで、本発明の目的は、上述した従来の技術が有する課題を解消し、２本の水位検出ロッドのそれぞれのコネクタを誤配線することがない、温水暖房システムを提供することにある。
【０００６】
【課題を解決するための手段】
請求項１に記載の発明は、シスターンタンクと加熱部と放熱部との間で循環ポンプを介して暖房水を循環する温水暖房システムにおいて、前記シスターンタンクに検出水位の異なる２本の水位検出ロッドを設け、前記シスターンタンクに暖房水を供給する段階で、最初に出力があった水位検出ロッドを低水位用検出ロッドと判定し、最後に出力があった水位検出ロッドを高水位用検出ロッドと判定し、これを学習するコントローラを設け、このコントローラで学習された低水位用検出ロッドからの暖房水無しの出力があった場合、前記シスターンタンクに暖房水を補給する暖房水補給手段を設けたことを特徴とするものである。
【０００７】
請求項２に記載の発明は、シスターンタンクと加熱部と放熱部との間で循環ポンプを介して暖房水を循環する温水暖房システムにおいて、前記シスターンタンクに検出水位の異なる２本の水位検出ロッドを設け、この２本の水位検出ロッドはそれぞれのコネクタが前記シスターンタンクの外部に露出し、このコネクタが共通形状を備え、前記シスターンタンクに暖房水を供給する段階で、最初に出力があった水位検出ロッドを低水位用検出ロッドと判定し、最後に出力があった水位検出ロッドを高水位用検出ロッドと判定し、これを学習するコントローラを設け、このコントローラで学習された低水位用検出ロッドからの暖房水無しの出力があった場合、前記シスターンタンクに暖房水を補給する暖房水補給手段を設けたことを特徴とするものである。
【０００８】
これらの発明では、シスターンタンクに暖房水を供給する段階で、コントローラが、最初に出力があった水位検出ロッドを低水位用検出ロッドと判定し、最後に出力があった水位検出ロッドを高水位用検出ロッドと判定し、これを学習するので、２本の水位検出ロッドに極性を持たせる必要がない。
【０００９】
従って、コントローラから延びるリード線はどのコネクタにも接続が可能であり、誤配線が発生することはない。
【００１０】
【発明の実施の形態】
以下、本発明の一実施形態を図面に基づいて説明する。
【００１１】
図１において、１は温水暖房システムを示している。この温水暖房システム１は、暖房水を貯留するシスターンタンク３と、暖房水を循環する循環ポンプ４と、加熱バーナ５で暖房水を加熱する加熱部６と、温水エアコン或いは床暖房機等からなる放熱部７とを順に暖房水配管８で接続して構成されている。
【００１２】
前記シスターンタンク３には検出水位の異なる、高水位用、および低水位用の２本の水位検出ロッド１１，１２が設けられ、これら２本の水位検出ロッド１１，１２はそれぞれのコネクタ１１ａ，１２ａがシスターンタンク３の外部に露出し、このコネクタ１１ａ，１２ａは互いに共通形状を備えている。
【００１３】
このコネクタ１１ａ，１２ａはリード線１３を通じてコントローラ（判断手段）１５に接続されている。要するに、このコントローラ１５から延びるリード線１３は、コネクタ１１ａ，１２ａが互いに共通形状であるため、いずれのコネクタ１１ａ，１２ａにも接続できるように構成され、コネクタ１１ａ，１２ａの共通化で、コストダウンが図られている。
【００１４】
シスターンタンク３には暖房水の補給管１７が接続され、この補給管１７には補給水弁１８が接続され、この補給水弁１８はコントローラ１５に接続されている。補給管１７は水道管（図示せず）に接続され、補給水弁１８が開かれた場合、水道水が補給管１７を通じてシスターンタンク３に供給される。
【００１５】
この実施形態では、２本の水位検出ロッド１１，１２に極性を持たせていないので、コントローラ１５から延びるリード線１３は、いずれのコネクタ１１ａ，１２ａにも誤配線なく接続が可能である。
【００１６】
そして、シスターンタンク３に暖房水を供給する段階で、コントローラ１５が、最初に出力があった水位検出ロッド１２を低水位用検出ロッドと判定し、最後に出力があった水位検出ロッド１１を高水位用検出ロッドと判定し、これを学習する。学習された水位検出ロッド１２から暖房水無しが出力された場合には、コントローラ１５を通じて、補給水弁１８が開かれ、シスターンタンク３に暖房水（水道水）が補給される。
【００１７】
なお、水位検出ロッド１１，１２からは「Ｈ」、或いは「Ｌ」の二値化された信号が出力される。
【００１８】
次に、この実施形態の動作を説明する。
【００１９】
図２は、通常暖房運転時の処理フロー（モード１）である。この場合、低水位用検出ロッド１２と、高水位用検出ロッド１１は判別されている。通常暖房運転時には、暖房運転要求があるか否かが判定され（Ｓ１）、暖房運転要求がない場合、停止処理される（Ｓ２）。暖房運転要求がある場合、まず高水位用検出ロッド１１のみが暖房水有りを出力しているか否かが判定される（Ｓ１００）。これが出力されている場合、低水位検出ロッド１２に異常有りとしてエラー処理される（Ｓ１０１）。つぎに両方の水位検出ロッド１１，１２が暖房水無しを検出したか否かが判定される（Ｓ３）。暖房水無しが検出されない場合、循環ポンプ４、加熱バーナ５がそれぞれ運転される（Ｓ４）。暖房水無しが検出された場合、循環ポンプ４、加熱バーナ５が停止され、２分間のタイマ１および７分間のタイマ２がセットされる（Ｓ５）。
【００２０】
図３は、水位ロッド接続、暖房水多量漏れの確認の処理フロー（モード２）である。モード１のＳ５で、暖房水無しが検出された場合、補給水弁１８が開かれ（Ｓ６）、２分間のタイマ１がアップしたか否かが判定される（Ｓ７）。
【００２１】
タイマ１がアップしていない場合、両方の水位検出ロッド１１，１２が暖房水有りを検出したか否かが判定される（Ｓ８）。このタイマ１の２分間でシスターンタンク３が満水とならない場合、水位ロッドの接続が不良、或いは暖房水多量漏れが有りと判定し、エラー処理を実行する（Ｓ９）。
【００２２】
Ｓ８で、両方の水位検出ロッド１１，１２が暖房水有りを検出した場合、この暖房水をシスターンタンク３に供給する段階で、コントローラ１５が、最初に出力があった水位検出ロッド１２を低水位用検出ロッドと判定し、最後に出力があった水位検出ロッド１１を高水位用検出ロッドと判定し、これをコントローラ１５の記憶部に記憶して学習し（Ｓ１０２）、かつ補給水弁１８を閉じると共に、循環ポンプ４を運転する（Ｓ１０）。
【００２３】
図４は、暖房水補給完了判定の処理フロー（モード３）である。モード２のＳ１０で、補給水弁１８を閉じると共に、循環ポンプ４を運転した場合、３０秒のタイマ３がセットされる（Ｓ１１）。ついで、７分間のタイマ２がアップしたか否かが判定される（Ｓ１２）。タイマ２がアップしていない場合、両方の水位検出ロッド１１，１２が暖房水有りを検出したか否かが判定される（Ｓ１３）。暖房水有りが検出された場合、補給水弁１８が閉じられ（Ｓ１４）、３０秒間のタイマ３がアップしたか否かが判定される（Ｓ１５）。この３０秒間で暖房水漏れがないかどうかが確認され、３０秒間が経過した場合、暖房水補給終了処理が実行される（Ｓ１６）。Ｓ１２〜Ｓ１５が繰り返され、タイマ２の７分間がアップした場合、エラー処理が実行される（Ｓ１７）。
【００２４】
Ｓ１３で、暖房水無しが検出された場合、補給水弁１８が開かれ（Ｓ１８）、両方の水位検出ロッド１１，１２が暖房水無しを検出したか否かが判定される（Ｓ１９）。暖房水無しが検出された場合、モード４に移行する。
【００２５】
図５は、暖房水無しの場合の処理フロー（モード４）である。モード３のＳ１９で、暖房水無しが判定された場合、循環ポンプ４の１０秒間の間欠運転が実行される（Ｓ２０）。ついで、７分間のタイマ２がアップしたか否かが判定される（Ｓ２１）。タイマ２がアップしていない場合、両方の水位検出ロッド１１，１２が暖房水無しを検出したか否かが判定される（Ｓ２２）。暖房水有りが検出された場合、循環ポンプ４の間欠運転を解除し、通常運転を行い（Ｓ２３）、図４に示すモード３に移行する。Ｓ２１で、７分間のタイマ２がアップした場合、エラー処理が実行される（Ｓ２４）。
【００２６】
この実施形態では、シスターンタンク３に暖房水を供給する段階で、コントローラ１５が、最初に出力があった水位検出ロッド１２を低水位用検出ロッドと判定し、最後に出力があった水位検出ロッド１１を高水位用検出ロッドと判定し、これを学習するので、２本の水位検出ロッド１１，１２に極性を持たせる必要がない。従って、コントローラ１５から延びるリード線１３はどのコネクタ１１ａ，１２ａにも接続が可能であり、誤配線が発生することはない。
【００２７】
以上、一実施形態に基づいて本発明を説明したが、本発明はこれに限定されるものでないことは明らかである。
【００２８】
【発明の効果】
この発明では、シスターンタンクに暖房水を供給する段階で、コントローラが、最初に出力があった水位検出ロッドを低水位用検出ロッドと判定し、最後に出力があった水位検出ロッドを高水位用検出ロッドと判定し、これを学習するので、２本の水位検出ロッドに極性を持たせる必要がない。
【００２９】
従って、コントローラから延びるリード線はどのコネクタにも接続が可能であり、誤配線が発生することはない。
【図面の簡単な説明】
【図１】本発明による温水暖房システムの一実施形態を示す構成図である。
【図２】通常暖房運転時の処理フローである。
【図３】水位ロッド接続、暖房水多量漏れの確認の処理フローである。
【図４】暖房水補給完了判定の処理フローである。
【図５】暖房水無しの場合の処理フローである。
【符号の説明】
１  温水暖房システム
３  シスターンタンク
４  循環ポンプ
５  加熱バーナ
６  加熱部
７  放熱部
１１  高水位用水位検出ロッド
１２  低水位用水位検出ロッド
１１ａ  コネクタ
１２ａ  コネクタ
１５  コントローラ
１８  補給水弁
【図１】
0004086408.tif 000002
【図２】
0004086408.tif 000003
【図３】
0004086408.tif 000004
【図４】
0004086408.tif 000005
【図５】
0004086408.tif 000006